(57)【要約】【課題】予め表裏の天地方向、及び表裏の天地方向の相関関係を含む用紙方向要素が定められた記録用紙が格納された状態で、この記録用紙に画像記録処理が実行される前に、記録用紙を無駄にすることなく、記録用紙の表裏の向きと、記録される画像情報の向きとの適性を判定する。【解決手段】記録用紙５０の表裏面（記録用紙印刷イメージ）を撮像部（表）６６、撮像部（裏）６８で撮像し、印刷用画像データと合成する。合成は、印刷処理と同等の天地方向に沿って合成される。表示部１０２に合成画像を表示し、ユーザーの適否の判断を待ち、その判断に基づいて、印刷の続行、中止を決める。【選択図】図５
2010058478.tif 000002
【特許請求の範囲】
【請求項１】
予め定められた方向へ前記記録用紙を送り出す送出手段と、
前記送出手段で送り出された記録用紙に対して、画像情報に基づく画像を記録する画像記録手段と、
前記記録用紙の表裏面のそれぞれへ記録する表裏一対の画像情報を単位として管理する管理手段と、
前記単位毎の画像情報を用いて画像記録を実行する場合に、前記用紙方向要素を指定する指定手段と、
前記送出手段で送出されるときの記録用紙における表裏面の天地方向を確認する確認手段と、
前記画像記録手段による画像記録開始前に、前記管理手段で管理されている表裏一対の画像情報を、前記指定手段で指定された用紙方向要素に基づいて報知すると共に、前記確認手段で確認された前記記録用紙が前記送出手段で送出されることにより決まる、当該記録用紙の天地方向を、併せて報知する報知制御手段と、
を有する画像処理装置。
【請求項２】
前記記録用紙には、予め表裏面の少なくとも一方側に、当該一方の天地方向を決定付ける画像が印刷されている請求項１記載の画像処理装置。
【請求項３】
前記確認手段が、前記記録用紙の表裏面をそれぞれ撮像する撮像手段である請求項１又は請求項２記載の画像処理装置。
【請求項４】
前記撮像手段が、前記記録用紙における一方の面のみを撮像し、当該撮像された前記記録用紙における一方の面の画像情報に基づいて、前記記録用紙における他方の面の天地方向を予測する請求項３記載の画像処理装置。
【請求項５】
前記報知制御手段が、前記撮像手段で撮像した記録用紙自体の画像に、前記画像情報に基づく画像を重ねて表示する表示手段を備える請求項３又は請求項４記載の画像処理装置。
【請求項６】
予め表裏面の少なくとも一方側に、当該一方の天地方向を決定付ける画像が記録された記録用紙の表裏面をそれぞれ撮像する撮像手段と、
撮像手段で撮像された記録用紙画像を表示すると共に、前記記録用紙の表裏面のそれぞれへ記録する表裏一対の画像情報の向きを、予め指定された天地方向に変換して、前記記録用紙画像に重ねて表示する表示制御手段と、
を有する画像天地方向判定装置。
【請求項７】
前記撮像手段が、前記記録用紙の一方の面のみを撮像し、当該撮像された前記記録用紙における一方の面の画像情報に基づいて、前記記録用紙における他方の面の天地方向を予測する請求項６記載の画像天地方向判定装置。
【発明の詳細な説明】
【技術分野】
【０００１】
本発明は、画像処理装置、画像天地方向判定装置に関する。
【背景技術】
【０００２】
一般に、事前に記録用紙に印刷が施された記録用紙が存在する。記録用紙自体に事前に印刷が施されると、その表裏面のそれぞれの天地方向、表裏面間の天地方向の相対関係等が特定され、画像処理装置の格納部への格納（トレイへの装填）状態を確認する必要がある。
【０００３】
このため、特許文献１では、給紙カセット内にカメラを設置し、印刷用紙が予め定められた通りに装填されていない場合に報知することが提案されている（特許文献１参照）。
【０００４】
また、予めプレプリント用紙の端部に印刷されている第１特定記号と、印刷された第２特定記号とで構成された特定組み合わせ記号を検知して、正しく印刷されているか否かを判定する方向が提案されている（特許文献２参照）。
【０００５】
さらに、関連技術として、用紙の向き（天地）、表裏などが誤ってセットされた場合に、セットされた向き（天地）、表裏を検知して、これに合わせて、印刷イメージ（画像データ）を回転処理する等して印刷する方法が提案されている（特許文献３参照）。
【特許文献１】特開２００２−２７３９９２公報
【特許文献２】特開２００７−１７１２８７公報
【特許文献３】特開２００６−１１０８３１公報
【発明の開示】
【発明が解決しようとする課題】
【０００６】
本発明は、予め表裏の天地方向、及び表裏の天地方向の相関関係を含む用紙方向要素が定められた記録用紙が格納された状態で、この記録用紙に画像記録処理が実行される前に、記録用紙を無駄にすることなく、記録用紙の表裏の向きと、記録される画像情報の向きとの適性を判定することができる画像処理装置、画像天地方向判定装置を得ることが目的である。
【課題を解決するための手段】
【０００７】
請求項１に記載の発明は、予め定められた方向へ前記記録用紙を送り出す送出手段と、前記送出手段で送り出された記録用紙に対して、画像情報に基づく画像を記録する画像記録手段と、前記記録用紙の表裏面のそれぞれへ記録する表裏一対の画像情報を単位として管理する管理手段と、前記単位毎の画像情報を用いて画像記録を実行する場合に、前記用紙方向要素を指定する指定手段と、前記送出手段で送出されるときの記録用紙における表裏面の天地方向を確認する確認手段と、前記画像記録手段による画像記録開始前に、前記管理手段で管理されている表裏一対の画像情報を、前記指定手段で指定された用紙方向要素に基づいて報知すると共に、前記確認手段で確認された前記記録用紙が前記送出手段で送出されることにより決まる、当該記録用紙の天地方向を、併せて報知する報知制御手段と、を有している。
【０００８】
請求項２に記載の発明は、前記請求項１に記載の発明において、前記記録用紙には、予め表裏面の少なくとも一方側に、当該一方の天地方向を決定付ける画像が印刷されている。
【０００９】
請求項３に記載の発明は、前記請求項１又は請求項２に記載の発明において、前記確認手段が、前記記録用紙の表裏面をそれぞれ撮像する撮像手段である。
【００１０】
請求項１又は請求項２記載の画像処理装置。
【００１１】
請求項４に記載の発明は、前記請求項３に記載の発明において、前記撮像手段が、前記記録用紙における一方の面のみを撮像し、当該撮像された前記記録用紙における一方の面の画像情報に基づいて、前記記録用紙における他方の面の天地方向を予測する。
【００１２】
請求項５に記載の発明は、前記請求項３又は請求項４に記載の発明において、前記報知制御手段が、前記撮像手段で撮像した記録用紙自体の画像に、前記画像情報に基づく画像を重ねて表示する表示手段を備える。
【００１３】
請求項６に記載の発明は、予め表裏面の少なくとも一方側に、当該一方の天地方向を決定付ける画像が記録された記録用紙の表裏面をそれぞれ撮像する撮像手段と、撮像手段で撮像された記録用紙画像を表示すると共に、前記記録用紙の表裏面のそれぞれへ記録する表裏一対の画像情報の向きを、予め指定された天地方向に変換して、前記記録用紙画像に重ねて表示する表示制御手段と、を有している。
【００１４】
する画像天地方向判定装置。
【００１５】
請求項７に記載の発明は、前記請求項６に記載の発明において、前記撮像手段が、前記記録用紙の一方の面のみを撮像し、当該撮像された前記記録用紙における一方の面の画像情報に基づいて、前記記録用紙における他方の面の天地方向を予測する。
【発明の効果】
【００１６】
請求項１記載の発明によれば、予め表裏の天地方向、及び表裏の天地方向の相関関係を含む用紙方向要素が定められた記録用紙が格納された状態で、この記録用紙に画像記録処理が実行される前に、記録用紙を無駄にすることなく、記録用紙の表裏の向きと、記録される画像情報の向きとの適性を判定することができる。
【００１７】
請求項２に記載の発明によれば、本構成を有しない場合に比べて、記録用紙における用紙方向要素が明確となる。
【００１８】
請求項３に記載の発明によれば、本構成を有しない場合に比べて、用紙方向要素の確認が迅速に行える。
【００１９】
請求項４に記載の発明によれば、本構成を有しない場合に比べて、撮像手段の数を軽減することができる。
【００２０】
請求項５に記載の発明によれば、本構成を有しない場合に比べて、視覚を通じて記録用紙の向きと、記録された画像の向きとの適否を判定することができる。
【００２１】
請求項６に記載の発明によれば、予め表裏の天地方向、及び表裏の天地方向の相関関係を含む用紙方向要素が定められた記録用紙が格納された状態で、この記録用紙に画像記録処理が実行される前に、記録用紙を無駄にすることなく、記録用紙の表裏の向きと、記録される画像情報の向きとの適性を判定することができる。
【００２２】
請求項７に記載の発明によれば、本構成を有しない場合に比べて、撮像手段の数を軽減することができる。
【発明を実施するための最良の形態】
【００２３】
図１には、本実施の形態に係る画像処理装置１０が示されている。画像処理装置１０は、大きく分類して、図１の左側から画像形成部１２、用紙収容部１４、後処理部１６となっている。
【００２４】
画像形成部１２は、その筐体１８の上面に当該画像処理装置１０の全体を制御する主制御部２０が設けられている。主制御部２０は、制御部本体２２と、キーボード２４と、ディスプレイ２６を備えている（以下、必要に応じて、キーボード２４等で代表される入力系と、ディスプレイ２６等で代表される出力系を総称して、「ＵＩ１００」（図５参照）という。）。
【００２５】
また、主制御部２０の図１の右側（画像形成部１２の上面）には、矩形の開口部が設けられている。この開口部には、開閉蓋３２が取り付けられている。
【００２６】
画像形成部１２は筐体１８によって覆われており、前記主制御部２０からの画像データに応じて発光する光ビームを走査する光走査部と、光走査部によって走査された光ビームを受けて所謂静電潜像が形成される感光体ドラムと、感光体ドラム上の静電潜像へトナー等の現像剤を供給することで現像する現像部と、この現像によって顕像化された画像を記録用紙へ転写する転写部と、転写した記録用紙上の画像を定着させる定着部とを備えている。以下、上記一連の工程を、「画像形成処理全般」という。また、以下において、「画像形成処理」を、必要に応じて、「印刷」という。
【００２７】
上記画像形成部１２が収容された筐体１８の図１の前面は、ほぼ全域に亘って開口されており、所謂観音開き型の一対の開閉扉３４が取り付けられている。
【００２８】
このため、画像形成部１２のメンテナンス時には、この一対の開閉扉３４を開放することで、筐体１８の全面とほぼ同一の面積のメンテナンス作業空間が設けられることになる。
【００２９】
この画像形成部１２の転写部へ送られる記録用紙５０（図２、図３参照）は、前記開閉蓋３２の下部に設けられたトレイ３６、或いは用紙収容部１４に設けられた複数のトレイ３８から選択的に持ち出されるようになっている。すなわち、複数のトレイ３６、３８には、それぞれサイズの異なる記録用紙５０を収容可能（同一サイズの場合もある）となっており、主制御部２０からの指示に基づく、画像形成部１２からの指示で何れかのトレイ３６、３８が選択され、例えば、最上層の記録用紙５０から順番に持ち出すようになっている。
【００３０】
本実施の形態で適用される記録用紙５０は、所謂帳票用紙であり、予め所定の画像（記録用紙印刷イメージ）が施されている。この記録用紙５０については、後に詳述する（図２、図３参照）。
【００３１】
図１に示される如く、用紙収容部１４の上部は、画像形成部１２によって印刷された記録用紙５０の搬送部４０となっている。すなわち、画像形成部１２で印刷された記録用紙５０は、後処理が必要な場合に、この搬送部４０を経て、後処理部１６へ搬送されるようになっている。なお、後処理が不要な記録用紙５０は、前記開閉蓋３２の下部に配置された排出トレイユニット４２へ排出されるようになっている。
【００３２】
後処理部１６は、例えば、フィニッシャー部とも称され、製本、綴じ、穴あけ、折り等の加工、並びにジョブ単位、部数単位での仕分け処理を実行する。
【００３３】
画像データは、指定された印刷ジョブ属性に基づいて、その天地方向が反転されたり、倍率が変更されたり、繰り返し使用される場合がある。
【００３４】
一方、記録用紙５０は、指定された印刷ジョブ属性に基づいて、当該印刷ジョブ属性に合致した記録用紙印刷データが予め印刷された記録用紙５０が装填されるようになっている。
【００３５】
しかし、印刷ジョブ属性に基づく画像データの変換処理と合致しない記録用紙５０が装填される場合がある。
【００３６】
そこで、本実施の形態では、記録用紙５０がトレイ３６（又は３８）から取り出される以前に、印刷ジョブ属性に基づく画像データの天地方向の向きと、記録用紙５０の表裏に予め印刷されている項目の天地方向の向きとの照合を行なうようにした。
【００３７】
すなわち、本実施の形態では、記録用紙５０に予め印刷された記録用紙印刷イメージをトレイ３６（又は３８）に装填された状態から画像形成部１２へ送られて画像形成されるときの向きでの画像を撮像し、かつ当該記録用紙５０に印刷される画像データを印刷ジョブ属性に基づいて変換された向きで画像とを、ＵＩ１００の表示部１０２（ディスプレイ２６等）に重ねて（或いは並べて、若しくは交互に）表示することで、ユーザの目視による適否の判断を促している。
【００３８】
表１は、本実施の形態に係る記録用紙と画像データの配置に関する印刷ジョブ属性の一覧である。
【００３９】
また、表２は、本実施の形態に係る印刷ジョブ属性に基づいた想定印刷結果の生成例である。
【００４０】
【表１】
2010058478.tif 000003
【００４１】
【表２】
2010058478.tif 000004
【００４２】
上記表１、表２において、「BINDING」を例にとり詳細を説明する。
【００４３】
図２には、本実施の形態に係る記録用紙５０（予め記録用紙印刷イメージが印刷された帳票用紙）と、当該記録用紙５０へ画像形成部１２を用いて画像形成（印刷）する画像データとの関係が示されている。
【００４４】
図２（Ａ）の上段は、各ページ毎に印刷される画像データ５０Ｇであり、ここでは「ＡＢＣ商会」宛の請求書に関する情報となっている。この画像データの記録位置は、図２（Ａ）の下段に示す記録用紙５０に予め印刷された記録用紙印刷イメージ（例えば、「ご請求書」、「ページ」、「ご請求額」、「ご明細」等々）に準じて予め決められている。
【００４５】
ところで、図２（Ａ）の下段で示されるように、記録用紙５０の表裏目に予め印刷された記録用紙印刷イメージは、天地が反転している。これは、印刷ジョブ属性によって決まる所謂「長編綴じ」指定の記録用紙５０である。このため、図２（Ａ）の上段における偶数ページの画像データは、天地を反転した状態で画像処理を実行するように指示されることになる。
【００４６】
上記「長編綴じ」指定の出力結果が、図２（Ｂ）である。図２（Ｂ）に示される如く、記録用紙５０の表裏面に各項目に対応した情報が記録されるようになっている。すなわち、記録用紙５０に予め印刷された記録用紙印刷イメージの天地方向と、画像形成部１２によって印刷処理される画像データ５０Ｇの天地方向とが一致した状態で印刷される。
【００４７】
一方、図３は、図２が正常処理であるのに対し、異常処理の一例である。
【００４８】
すなわち、図２と同様に「長編綴じ」指定であるのに対して、図３（Ａ）の下段に示される如く、指定されたトレイ３６（又は３８）に誤って「短編綴じ」指定の記録用紙５０が格納された場合である。
【００４９】
このような場合、図３（Ｂ）に示される如く、記録用紙印刷イメージの天地方向に対して、画像形成部１２によって印刷される画像データ（偶数ページ）の天地方向が、逆に（反転されて）印刷が実行される。このような誤った印刷は、当然、画像処理結果によって判別、認識可能であるが、その時点では、無駄に記録用紙５０を消費させ、そのための廃棄作業、並びに、廃棄される不要な記録用紙５０の情報漏洩に対するセキュリティ対策作業、といった余計な作業を強いられる可能性がある。
【００５０】
そこで、前記ＵＩ１００の上記表示部１０２（ディスプレイ２６等）による表示を行なうことで、このような余計な作業を排除する。
【００５１】
図４は、記録用紙５０の表裏面の画像を撮像するためのトレイ３６（又は３８）の近傍の構造が示されている。なお、全てのトレイに同一構成であるため、その内の１つのトレイ近傍の構造について説明し、その他のトレイ近傍の構造については省略する。
【００５２】
図４に示される如く、トレイ３６（又は３８）は記録用紙５０を収容する筐体５２が設けられている。筐体５２は、上部が開口しており、底面と平行状態を維持するようにばね等の弾性部材５３を介して用紙支持台５４が設けられている。記録用紙５０は、筐体内５２に収容するとき、この用紙支持台５４上に積層されることになる。
【００５３】
用紙支持台５４は、前記弾性部材による弾性力で押し上げられており、積層された記録用紙５０の最上層がほぼ同一の高さ位置に保持されるようになっている。
【００５４】
筐体５２の上部には、用紙取出装置５６が配置されている。用紙取出装置５６は、一端部を軸５８として回転する枠状プレート６０に吸盤６２が取り付けられている。
【００５５】
吸盤６２の吸着面には、図示しない吸引手段により空気が吸引される孔が設けられ、プレート６０の回転動作によって、最上層の記録用紙５０と吸盤６２とを密着させた状態で空気を吸引して吸着し、第２層目以下の記録用紙５０から分離する構成となっている。
【００５６】
分離された記録用紙５０は、その搬送方向先端部がローラ対６４に挟持されるようになっている。このローラ対６４は、印刷指示に基づいて駆動し、記録用紙５０を画像形成部１２へと案内する案内路（図示省略）へ送り出すようになっている（図４の矢印Ａ方向）。
【００５７】
ここで、用紙取出部５６の枠状プレート６０には、ブラケット６５を介して表面撮像用の撮像部（表）６６が取り付けられており、最上層の記録用紙５０の表面側（上面側）の画像を撮像する。
【００５８】
また、用紙取出部５６よりも下部、かつ筐体５２の側面に対向する位置には、図示しないブラケットを介して裏面撮像用の撮像部（裏）６８が配置されている。この撮像部（裏）６８は、吸盤６２によって持ち上げられた最上層の記録用紙５０の裏面を、第２層の記録用紙５０との隙間から撮像するように位置決めされている。
【００５９】
すなわち、撮像部（表）６６及び撮像部（裏）６８は、記録用紙５０が用紙取出装置５６によって案内路へ送り出される前に、記録用紙５０の表裏面の画像（記録用紙印刷イメージ）を撮像することができるようになっている。
【００６０】
図５は、主制御部２０における、前記撮像部（表）６６及び撮像部（裏）６８により撮像した記録用紙５０の表裏面の画像（記録用紙印刷イメージ）と、画像形成部１２で記録用紙５０に画像形成（印刷）される画像データと、の相関（特に、表裏の天地方向の向き）をユーザーにより判別させるための情報を報知する制御を備えた画像処理制御のための機能ブロック図である。なお、この機能ブロック図は、ハード構成を限定するものではない。
【００６１】
ＵＩ１００の入力系の一部である印刷指示部１０４（キーボード２４等）では、印刷実行指示を指示するようになっている。印刷実行指示信号は、画像データ受付部１０６、画像データ一時格納部１０８及び搬送系制御部１１０に対して出力される。
【００６２】
画像データ一時格納部１０８は、印刷実行指示信号を受けて画像データの受入待機状態となる。また、搬送系制御部１１０では、指定されたトレイ３６（又は３８）から記録用紙５０を取出し、画像形成部１２の所定の位置まで搬送する搬送系全般の制御を行い、特に、画像形成準備完了信号を前記画像データ一時格納部１０８へ送出する。
【００６３】
画像データ受付部１０６では、前記印刷実行指示信号の入力に基づき、例えば、外部サーバー等から印刷用画像データを受け付ける。
【００６４】
この画像データ受付部１０６で受け付けた画像データは画像データ変換処理部１１２へ送出されるようになっている。
【００６５】
ここで、前記印刷指示部１０４では、印刷ジョブ属性情報が生成され、これを印刷ジョブ属性取得部１１４で取得するようになっている。
【００６６】
印刷ジョブ属性取得部１１４は、用紙方向要素判別部１１６に接続されている。この用紙方向要素判別部１１６では、印刷ジョブ属性から記録用紙の方向を判別し、画像データ変処理部１１２へ送出する。
【００６７】
これにより、画像データ変換処理部１１２では、入力された画像データの向きを変換する。なお、画像データ変換処理部１１２では画像データの向きのみならず、他の印刷属性ジョブ属性に基づいて、フォント、倍率等を設定するようにしてもよい（表１参照）。
【００６８】
画像データ変換処理部１１２は、前記画像データ一時格納部１０８に接続されている。画像データ一時格納部１０８は、前記印刷実行指示によって受入待機状態となっており、画像データ変換処理部１１２から送られる画像データを一時的に格納する。
【００６９】
画像データ一時格納部１０８では、搬送系制御部１１０からの画像形成準備完了信号に基づいて、画像データを印刷実行制御部１１８へ送出する。
【００７０】
印刷実行制御部１１８では、画像形成部１２を制御して印刷を実行する。
【００７１】
前記画像データ変換処理部１１２、並びに印刷ジョブ属性取得部１１４は、方向判定用画像データ抽出部１２０に接続されている。
【００７２】
方向判定用画像データ抽出部１２０では、印刷ジョブ属性に基づいて、必要な画像データを画像データ変換処理部１１２から受け取る。
【００７３】
一時格納される画像変換処理画像の例を以下に示す。
【００７４】
（変換例１）  片面印刷ジョブ→先頭から１ページ分
（変換例２）  両面印刷ジョブ→先頭から２ページ分
（変換例３）  両面印刷＆Ｎ−ＵＰ→先頭から２×Ｎページ分
（変換例４）  指定ページ数分
方向判定用画像データ抽出部１２０では、画像データ変換処理部１１２において、上記何れかの印刷ジョブ属性に基づいて変化された画像データを受け取って、判定用画像一時格納部１２８に一時的に格納する。
【００７５】
一方、搬送系制御部１１０は、画像データ一時格納部１０８へ画像形成準備完了信号を出力する以前に、用紙送出準備完了信号を方向判定用画像データ抽出部１２０へ送出する。
【００７６】
方向判定用画像データ抽出部１０２では必要な画像データを取得すると共に、用紙送出準備完了信号を受けて、撮像指示部１２２に対して撮像指示信号を出力する。
【００７７】
撮像指示部１２２では、撮像指示信号を受けて、撮像部（表）６６と撮像部（裏）６８を用いて、記録用紙５０（用紙取出装置５６によって持ち上げられている）の表裏面をそれぞれ撮像し、記録用紙印刷イメージ取込部１２４へ送出する。
【００７８】
記録用紙印刷イメージ取込部１２４は、記録用紙印刷イメージ一時格納部１２６に接続され、撮像した記録用紙５０の表裏面の記録用紙印刷イメージを格納する。
【００７９】
記録用紙印刷イメージ一時格納部１２６は、判定用画像一時格納部１２８と相互に同期をとり、それぞれに格納されているデータを合成部１３０へ送出する。
【００８０】
合成部１３０では、記録用紙５０に印刷されたイメージ上に画像形成によって印刷する画像を重ね合わせた合成データを生成し、表示制御部１３２へ送出する。
【００８１】
表示制御部１３２では、この合成データをＵＩ１００を構成する表示部１００（ディスプレイ２６等）に表示する。
【００８２】
ユーザーはこの表示内容を見て、記録用紙５０の向きの適否を判定し、その判定結果をＵＩ１００を構成する印刷可否判定指示部１３４（キーボード２４等）によって指示する（ＯＫ：印刷続行、ＮＧ：印刷中止）。
【００８３】
印刷可否判定指示部１３４は、印刷可否決定部１３６に接続されている。印刷可否決定部１３６は、前記搬送系制御部１１０及び印刷実行制御部１１８に接続されている。
【００８４】
印刷可否決定部１３６において、ＯＫ信号を受信した場合には、搬送系制御部１１０に印刷続行を指示する。これにより、搬送系制御部１１０では、記録用紙５０を画像形成部１２へ搬送し、画像形成位置までの搬送が完了すると、画像形成準備完了信号を印刷用画像データ一時格納部１０８へ送出する。
【００８５】
印刷可否決定部１３６において、ＮＧ信号を受信した場合には、搬送系制御部１１０及び印刷実行制御部１１８に印刷中止を指示する。
【００８６】
以下に本実施の形態の作用を、図６及び図７のフローチャートに従い説明する。
【００８７】
図６は、判定画像合成処理制御ルーチンを示すフローチャートである。
【００８８】
ステップ２００は、フラグＦをリセット（０）し、次いでステップ２０２へ移行して印刷指示があったか否かが判断される。ステップ２０２で否定判定された場合は、このルーチンは終了する。
【００８９】
また、ステップ２０２で肯定判定されると、ステップ２０４へ移行して印刷ジョブ属性を取得し、次いで、ステップ２０６へ移行して印刷用画像データを受け付ける。
【００９０】
次のステップ２０８では、受け付けた印刷用画像データを印刷ジョブ属性に基づいて画像処理を実行して、ステップ２１０へ移行し、指定用紙のトレイからの用紙送出準備開始を指示して、ステップ２１２へ移行する。
【００９１】
ステップ２１２では、印刷ジョブ属性に基づいて、印刷結果を確認する必要がある印刷指示か否かを判断し、印刷結果の確認が不要（否定判定）、すなわち、記録用紙５０の天地方向と、印刷用画像データの天地方向との判別が不要と判定された場合には、ステップ２１４へ移行し、フラグＦをセット（１）して、このルーチンは終了する。
【００９２】
また、ステップ２１２で印刷結果の確認が必要（肯定判定）、すなわち、記録用紙５０の天地方向と、印刷用画像データの天地方向との判別が必要と判定された場合には、ステップ２１６へ移行する。
【００９３】
ステップ２１６では、印刷ジョブ属性から用紙方向要素（表１参照）を判別し、次いでステップ２１８へ移行して、方向判定用の画像データ（例えば、１頁目と２頁目）を抽出し、一時記憶するように指示する。
【００９４】
次のステップ２２０では、撮像指示部１２２が撮像指示信号を受信したか否かが判断される。言い換えれば、方向判定用の画像データの一時記憶、かつ用紙送出準備が完了したか否かを判別する。
【００９５】
ステップ２２０で肯定判定されると、ステップ２２２へ移行して記録用紙５０の表裏面を撮像部（表）６６、撮像部（裏）６８で撮像し、一時記憶を指示する。
【００９６】
次のステップ２２４では、比較するデータ（印刷用画像、記録用紙印刷イメージ）が揃ったか否かが判断され、肯定判定されると、ステップ２２６へ移行する。
【００９７】
ステップ２２６では、一時記憶していた印刷用画像データと、記録用紙印刷イメージデータとをそれぞれ読み出して、ステップ２２８へ移行し、当該印刷用画像データと、記録用紙印刷イメージデータとを合成処理する。このとき、合成は、印刷処理と同等の天地方向に沿って合成される。
【００９８】
次のステップ２３０では、ディスプレイ２６等の表示部１０２に合成画像を表示し、このルーチンは終了する。表示部１０２は、ディスプレイ２６に限らず、専用のモニタでもよい。
【００９９】
図７は、表示部１０２に表示された合成画像の天地方向の適否を判定する判定処理制御ルーチンを示すフローチャートである。
【０１００】
ステップ２５０では、フラグＦがセット（１）されているか否かが判断され、否定判定された場合は、判定の必要がないので、ステップ２５２へ移行する。
【０１０１】
また、ステップ２５０で肯定判定されると、ステップ２５４へ移行して、印刷可否判定指示部１３４の操作があったか否かが判断される。この操作は、基本的にはユーザーの手動によるものである。
【０１０２】
ステップ２５４で肯定判定されると、ステップ２５６へ移行して判定結果を判別し、ＯＫ判定の場合には、ステップ２５２へ移行する。
【０１０３】
ステップ２５２では、印刷可能であるため、通常の印刷実行処理がなされ、このルーチンは終了する。
【０１０４】
また、ステップ２５６でＮＧ判定の場合はステップ２５８へ移行して、印刷中止処理を実行し、次いで、ステップ２６０へ移行して印刷中止に関する情報を報知し、このルーチンは終了する。
【０１０５】
なお、本実施の形態では、実際に記録用紙５０に予め印刷され、搬送方向に即して天地方向を定めた記録用紙印刷イメージと、印刷ジョブ属性に即して天地方向を定めた画像データとを合成して、ユーザーに適否を判断させるようにしたが、図８に示される如く、一方、または両方の画像を天地方向を文字認識装置（ＯＣＲ）で読み取り、読み取った情報を解析して天地方向をマーク７０、７２で指標し、このマーク７０、７２を表示装置１０２に表示するようにしてもよい。また、天地方向を自動判断して印刷の続行、中止を決めてもよい。
【０１０６】
また、本実施の形態では、撮像手段として、撮像部（表）６６、撮像部（裏）６８を設置したが、撮像部（表）６６のみ設置し、ユーザーの画像処理装置１０の使用履歴等から記録用紙５０の表の印刷イメージから裏の印刷イメージを予測するようにしてもよい。
【０１０７】
例えば、使用履歴から、はがきの裏の印刷イメージは、はがきの表の郵便番号枠に最も近い端部が左端となる横向きの印刷イメージであることが９０％以上である場合、裏の印刷イメージをみなくても裏側の天地方向を予測することができる。すなわち、誤ってトレイ３６（３８）に装填される確率が極めて少ないため、裏の画像を読み取る手間を省いた方が効率がよい。
【０１０８】
なお、撮像手段を一方のみとする場合、構造上、撮像部（表）６６のみを残す方が有利であるが、撮像部（裏）６８のみを残す構造であってもよい。
【０１０９】
また、撮像手段が、記録用紙の表面又は裏面を撮像する単一の撮像手段と、記録用紙の裏面又は表面を光学的に前記撮像手段へ案内する光学案内手段と、を備えるようにしてもよい。
【０１１０】
すなわち、撮像部を単一とし、ミラー等の光学部材で、記録用紙５０の表裏面の画像を撮像部まで案内する。それぞれの光学路上にシャッター等を設けて、時間的にずらして撮像すれば、単一の撮像部で記録用紙の表裏面の画像を別々に撮像することが可能である。
【０１１１】
さらに、本実施の形態では、記録用紙５０に予め印刷されたイメージに天地方向があることを前提としたが、記録用紙５０の外形（形状）に天地方向がある場合にも適用可能である。例えば、後で切り取りが可能なように破断線が加工されている記録用紙の向き、縦寸法と横寸法とが僅かに異なる長方形の記録用紙の向き、ＪＩＳサイズであるが、非対称の一部に穴があけられている記録用紙の向き、等々が考えられる。
【図面の簡単な説明】
【０１１２】
【図１】本実施の形態に係る画像処理装置の概略構成図である。
【図２】本実施の形態に係る印刷ジョブ属性に基づく記録用紙への画像形成処理の状態（適正）を示す流れ図である。
【図３】本実施の形態に係る印刷ジョブ属性に基づく記録用紙への画像形成処理の状態（不適正）を示す流れ図である。
【図４】本実施の形態に係る画像処理装置のトレイ及びその周辺の構造を示す概略図である。
【図５】主制御部における、記録用紙印刷イメージと印刷画像データとの相関をユーザーにより判別させるための情報を報知する制御を備えた画像処理制御のための機能ブロック図である。
【図６】本実施の形態に係る判定画像合成処理制御ルーチンを示すフローチャートである。
【図７】本実施の形態に係る判定処理制御ルーチンを示すフローチャートである。
【図８】変形例に係る印刷ジョブ属性に基づく記録用紙への画像形成処理の状態（不適正）を示す流れ図である。
【符号の説明】
【０１１３】
１０    画像処理装置
１２    画像形成部（画像記録手段）
２０    主制御部
２２    制御部本体
２６    ディスプレイ（報知手段）
３６    トレイ
３８    トレイ
４０    搬送部
４２    排出トレイユニット（送出手段）
５０    記録用紙
５０Ｇ    画像データ
５２    筐体
５３    弾性部材
５４    用紙支持台
５６    用紙取出装置
５８    軸
６０    枠状プレート
６２    吸盤
６４    ローラ対
６５    ブラケット
６６    撮像部（表）（確認手段）
６８    撮像部（裏）（確認手段）
１００    ＵＩ
１０４    印刷指示部
１０６    画像データ受付部（画像記憶手段）
１０８    画像データ一時格納部（管理手段）
１１０    搬送系制御部
１１２    画像データ変換処理部
１１４    印刷ジョブ属性取得部（指定手段）
１１６    用紙方向要素判別部
１１８    印刷実行制御部
１２０    方向判定用画像データ抽出部
１２２    撮像指示部（確認手段）
１２４    記録用紙印刷イメージ取込部
１２６    記録用紙印刷イメージ一時格納部
１２８    判定用画像一時格納部
１３０    合成部（確認手段）
１３２    表示制御部（報知制御手段）
１３４    印刷可否判定指示部
１３６    印刷可否決定部
【図１】
2010058478.tif 000005
【図２】
2010058478.tif 000006
【図３】
2010058478.tif 000007
【図４】
2010058478.tif 000008
【図５】
2010058478.tif 000009
【図６】
2010058478.tif 000010
【図７】
2010058478.tif 000011
【図８】
2010058478.tif 000012